(57)【要約】【課題】セードの着脱が容易な照明器具を提供する。【解決手段】照明器具１は、器具本体１０、セード２０、及びセード着脱機構３０等から構成されている。セード２０は中央部に矩形状の窓部２０ａが形成された板体部２０ｂと板体部２０ｂの内側縁部から突出された枠体部２０ｃとから構成されており、枠体部２０ｃの外側側面には係合爪２０ｄが形成されている。セード着脱機構３０は、板体部３１ａを備えたリリースボタン３１、係合爪２０ｄと係合させる係合爪３２ａを備えた保持部材３２等から構成されている。セード２０を器具本体１０に取り付ける場合には、枠体部２０ｃの縁部と板体部３１ａの縁部との位置を合わせながら、セード２０を押し上げて、係合爪２０ｄと係合爪３２ａとを係合させる。セード２０を器具本体１０から取り外す場合には、窓部２０ａを介してリリースボタン３１を押し、保持部材３２を外側に傾かせて、係合爪２０ｄと係合爪３２ａとの係合を解除する。【選択図】図３
2005079000.tif 000002
【特許請求の範囲】
【請求項１】
ランプを備えた器具本体と；
中央部に形成された窓部と被係合部とを備えたセードと；
前記器具本体に取り付けられ、前記被係合部に係合される係合部が形成された保持部材と前記係合部に前記被係合部が係合された状態で前記窓部から露出するボタンとを備え、前記係合部が前記被係合部に係合されることにより前記セードが前記器具本体に取り付けられ、かつ前記ボタンが押されることにより前記係合部材と被係合部との係合が解除されて前記セードが取り外されるセード着脱機構と；
を具備することを特徴とする照明器具。
【請求項２】
前記器具本体は前記ランプに電力を供給する電気的接続手段を配置するための開口部を備えており、前記ボタンは前記開口部を覆うように着脱可能に前記器具本体に取り付けられていることを特徴とする請求項１記載の照明器具。
【発明の詳細な説明】
【技術分野】
【０００１】
本発明は、セードを備えた照明器具に関する。
【背景技術】
【０００２】
従来から、照明器具には、蛍光ランプを備えた器具本体の他、配光或いは光色を変えるためのセードが備えられている場合がある。このようなセードを備えた照明器具の場合、蛍光ランプの交換の際には、セードを器具本体から取り外す作業、及び蛍光ランプを交換した後、再びセードを器具本体に取り付ける作業が必要となる。
【０００３】
現在、このような照明器具の場合、器具本体の両側側部に設置されたリリースボタンを両方押すことにより、セードを器具本体から取り外している。また、器具本体の側部に形成された係合部とセードの側部に形成された被係合部と係合させることにより、セードを器具本体に取り付けている（例えば、特許文献１及び特許文献２）。
【特許文献１】特開平７−１０５７１１号公報
【特許文献２】特開平１１−２８３４２８号公報
【発明の開示】
【発明が解決しようとする課題】
【０００４】
しかしながら、セードを器具本体から取り外す場合には、器具本体の両側側部に設置されたリリースボタンを押しながら行うために、両手を大きく広げなければならず、セードの取り外しが困難であるという問題がある。一方、セードを器具本体に取り付ける場合には、セードにより係合部と被係合部とが目視できず、セードの取り付けが困難であるという問題がある。本発明は上記従来の問題を解決するためになされたものである。即ち、本発明はセードの着脱が容易な照明器具を提供することを目的とする。
【課題を解決するための手段】
【０００５】
請求項１記載の照明器具は、ランプを備えた器具本体と；中央部に形成された窓部と被係合部とを備えたセードと；前記器具本体に取り付けられ、前記被係合部に係合される係合部が形成された保持部材と前記係合部に前記被係合部が係合された状態で前記窓部から露出するボタンとを備え、前記係合部が前記被係合部に係合されることにより前記セードが前記器具本体に取り付けられ、かつ前記ボタンが押されることにより前記係合部材と被係合部との係合が解除されて前記セードが取り外されるセード着脱機構と；を具備することを特徴としている。請求項１記載の照明器具によれば、セードの着脱を容易に行うことができる。
【０００６】
請求項２記載の照明器具は、請求項１記載の照明器具であって、前記器具本体は前記ランプに電力を供給する電気的接続手段を配置するための開口部を備えており、前記ボタンは前記開口部を覆うように着脱可能に前記器具本体に取り付けられていることを特徴としている。請求項２記載の照明器具によれば、容易に器具本体を電気的接続手段に取り付けることができる。
【発明の効果】
【０００７】
請求項１記載の照明器具によれば、セードの着脱を容易に行うことができる。請求項２の照明器具によれば、容易に器具本体を電気的接続手段に取り付けることができる。
【発明を実施するための最良の形態】
【０００８】
（第１の実施の形態）
以下、第１の実施の形態について説明する。図１は本実施の形態に係る照明器具の模式的な斜視図であり、図２は本実施の形態に係る照明器具の模式的な垂直断面図であり、図３は本実施の形態に係る照明器具の模式的な分解斜視図であり、図４は本実施の形態に係るセードの模式的な斜視図であり、図５は本実施の形態に係るリリースボタンの模式的な斜視図であり、図６は本実施の形態に係る保持部材及びその周辺部の模式的な斜視図である。
【０００９】
図１〜図６に示されるように、照明器具１は、器具本体１０を備えている。器具本体１０は、内部空間を有する箱状のシャーシ１１等から構成されている。シャーシ１１の上面には開口部１１ａが形成されており、シャーシ１１の下面には開口部１１ｂ，１１ｃ等が形成されている。具体的には、開口部１１ａ，１１ｂは略円状に形成されており、互いに対向するようにシャーシ１１の中央部に形成されている。開口部１１ｃは、互いに対向するように開口部１１ｂの外側に形成されている。
【００１０】
シャーシ１１は、引掛シーリング（図示せず）に取り付けられたアダプタ１２に係止されている。引掛シーリングは天井面に取り付けられている。アダプタ１２は、器具本体１０に電力を供給するとともに器具本体１０を支持するためのものである。アダプタ１２は、ケース１２ａ、ケース１２ａの下面から突設されたリリースボタン１２ｂ、及びケース１２ａの両側面から出没可能に突設された係止爪１２ｃ等から構成されている。
【００１１】
アダプタ１２は、リリースボタン１２ｂが押されることにより係止爪１２ｃがケース１２ａ内に収容され、かつリリースボタン１２ｂが離されることにより係止爪１２ｃがケース１２ａ内から突出するように構成されている。
【００１２】
シャーシ１１をアダプタ１２に係止させるには、リリースボタン１２ｂを押した状態で、アダプタ１２をシャーシ１１の開口部１１ａに挿入し、リリースボタン１２ｂを離す。これにより、係止爪１２ｃがシャーシ１１の上面裏側に引掛かり、シャーシ１１がアダプタ１２に係止される。
【００１３】
シャーシ１１の上面には、シャーシ１１と天井面との距離を調節するスポンジ等の距離調節部材１３が取り付けられている。シャーシ１１の下面には、後述する保持部材３２の過剰な開きを抑制するためのブロック１４が取り付けられている。シャーシ１１の下面には、開口部１１ｃの両側に、かつ開口部１１ｃの側部に若干臨むような位置に後述する係止突起３１ｃを係止させるための弾性部材１５が取り付けられている。
【００１４】
シャーシ１１の内部には、次に説明する蛍光ランプ１６を点灯させる点灯回路（図示せず）が配置されている。アダプタ１２と点灯回路とは電気的に接続されている。アダプタ１２と点灯回路とを電気的に接続することにより、点灯回路に電力が供給される。
【００１５】
シャーシ１２の下方には、角型に形成された２本の蛍光ランプ１６が配置されている。蛍光ランプ１６は、対向する位置に配置されたホルダ１７，１８により保持されている。
【００１６】
ホルダ１７は、先端部がシャーシ１１の下面に形成された開口部から突出するように設けられている。ホルダ１７内には、蛍光ランプ１６の口金に接続されたコネクタ１９が配置されている。蛍光ランプ１６と点灯回路とはコネクタ１９を介して電気的に接続されている。蛍光ランプ１６と点灯回路を電気的に接続することにより、蛍光ランプ１６に所定の電力が供給される。ホルダ１８は、シャーシ１１の下面に取り付けられている。
【００１７】
シャーシ１１の下方には、セード２０が配置されている。セード２０は、蛍光ランプ１６から発せられた光の配光或いは光色を変えるためのものである。セード２０は、中央部に矩形状の窓部２０ａが形成された板体部２０ｂと、板体部２０ｂの内側縁部から突出された枠体部２０ｃとから構成されている。
【００１８】
枠体部２０ｃの外側側面には、係合爪２０ｄ（被係合部）が形成されている。係合爪２０ｄの上面は摺接面として機能し、係合爪２０ｄの下面は係合面として機能する。具体的には、係合爪２０ｄの上面は下方に向けて傾斜しており、係合爪２０ｄの下面は略水平面となっている。
【００１９】
セード２０は、セード着脱機構３０を介して器具本体１０に着脱可能に取り付けられている。セード着脱機構３０は、セード２０を器具本体１０から取り外す際に押されるリリースボタン３１、セード２０を保持する保持部材３２、シャーシ１１の上面裏側に固定された固定片３３、保持部材３２を固定片３３に取り付けるためのピン３４、及び保持部材３２とシャーシ１１とに取り付けられたスプリング３５等から構成されている。
【００２０】
リリースボタン３１は、蛍光ランプ１６の内側に配置されているとともに着脱可能にシャーシ１１に取り付けられている。リリースボタン３１は、矩形状の板体部３１ａと、板体部３１ａの対向する２箇所の縁部から突出された突片部３１ｂとから構成されている。
【００２１】
板体部３１ａは、窓部２０ａとほぼ同形状に、かつ開口部１１ｂを覆うことができる大きさに形成されている。板体部３１ａは、窓部２０ａの真上に配置されている。突片部３１ｂの中間位置にはリリースボタン３１をシャーシ１１に取り付けるための係止突起３１ｃが形成されており、突片部３１ｂの先端には後述する傾斜面３２ｂに当接させる当接突起３１ｄが形成されている。係止突起３１ｃは、幅が弾性部材１５間の距離よりも大きく、かつ開口部１１ｃの幅よりも小さくなるように形成されている。当接突起３１ｄは、幅が開口部１１ｃの幅よりも小さくなるように形成されている。
【００２２】
リリースボタン３１をシャーシ１１に取り付けるには、弾性部材１５間に突片部３１ｂを押し込む。これにより、係止突起３１ｃが弾性部材１５に係止され、リリースボタン３１がシャーシ１１に取り付けられる。
【００２３】
リリースボタン３１をシャーシ１１から取り外すには、弾性部材１５間から突片部３１ｂを引き抜く。これにより、係止突起３１ｃによる係止が解除され、リリースボタン３１がシャーシ１１から取り外される。
【００２４】
保持部材３２は、互いに対向するように配置されている。保持部材３２は、略Ｌ字状に形成されている。保持部材３２の先端部は、シャーシ１１の開口部から突出している。保持部材３２の先端部内側には、係合爪２０ｄと係合させるための係合爪３２ａ（係合部）が形成されている。
【００２５】
係合爪３２ａの上面は係合面として機能し、係合爪３２ａの下面は摺接面として機能する。具体的には、係合爪３２ａの上面は略水平面となっており、係合爪３２ａの下面は上方に向けて傾斜している。係合爪２０ｄと係合爪３２ａとを係合させることにより、セード２０が保持部材３２に挟持され、保持される。
【００２６】
保持部材３２の角部内側には、内側上方に向けて傾斜面３２ｂが形成されている。角部内側に傾斜面３２ｂを形成することにより、傾斜面３２ｂに当接突起３１ｄが当接した場合に保持部材３２が外側に向けて傾く。
【００２７】
固定片３３は、保持部材３２の幅方向から保持部材３２を挟むように互いに対向して配置されている。ピン３４は、保持部材３２の底部に形成された貫通孔に挿入されており、ピン３４の両端は回動自在に固定片３３に取り付けられている。
【００２８】
スプリング３５は、保持部材３２の底部とシャーシ１１の上面とに取り付けられている。保持部材３２の底部とシャーシ１１の上面にスプリング３５を取り付けることにより、傾いた保持部材３２がスプリング３５の復元力により元の状態に戻される。
【００２９】
以下、セード２０の着脱方法について説明する。図７は本実施の形態に係るセード２０を取り付ける際のセード着脱機構３０の動作状態を模式的に示した図であり、図８は本実施の形態に係るセード２０を取り外す際のセード着脱機構３０の動作状態を模式的に示した図である。
【００３０】
セード２０を器具本体１０に取り付ける場合には、アダプタ１２にシャーシ１１が係止された状態で、窓部２０ａを介して、枠体部２０ｃの縁部と板体部３１ａの縁部との位置を合わせながら、図７に示されるようにセード２０を押し上げる。すると、係合爪２０ｄの上面が係合爪３２ａの下面を摺動し、その後係合爪２０ｄの下面が係合爪３２ａの上面に位置に入り込み、係合爪２０ｄと係合爪３２ａとが係合される。これにより、セード２０が器具本体１０に取り付けられる。
【００３１】
セード２０を器具本体１０から取り外す場合には、窓部２０ａを介して、リリースボタン３１を押す。すると、図８に示されるように、リリースボタン３１の当接突起３１ｄが上昇し、傾斜面３２ｂに当接する。当接突起３１ｄに傾斜面３２ｂが当接されると、保持部材３２が外側に向けて傾き、係合爪２０ｄと係合爪３２ａとの係合が解除される。これにより、セード２０が器具本体１０から取り外される。
【００３２】
本実施の形態では、セード２０に窓部２０ａが形成されているとともにセード２０が器具本体１０に取り付けられた状態ではリリースボタン３１が窓部２０ａから露出するので、セード２０の着脱を容易に行うことができる。即ち、セード２０に窓部２０ａが形成されているので、セード２０を器具本体１０に取り付ける際には、取り付け直前まで窓部２０ａを介して保持部材３２の係合爪３２ａを目視することができる。これにより、セード２０の係合爪２０ｄと保持部材３２の係合爪３２ａとの位置合わせを容易に行うことができ、セード２０を器具本体１０に容易に取り付けることができる。一方、セード２０が器具本体１０に取り付けられた状態ではリリースボタン３１が窓部２０ａから露出しているので、リリースボタン３１を容易に発見することができる。また、リリースボタン３１は、セード２０の中央部に位置しているので、容易にリリースボタン３１を押すことができる。これにより、セード２０を器具本体１０から容易に取り外すことができる。
【００３３】
本実施の形態では、板体部３１ａが窓部２０ａとほぼ同形状に形成されており、セード２０が器具本体１０に取り付けられた状態では板体部３１ａが窓部２０ａの真上に位置するので、枠体部２０ｃの縁部と板体部３１ａの縁部との位置を合わせることにより、係合爪２０ｄと係合爪３２ａとの位置せが行われる。それ故、より容易にセード２０を器具本体１０に取り付けることができる。
【００３４】
本実施の形態では、リリースボタン３１が着脱可能に取り付けられているので、リリースボタン３１を取り外した状態で、アダプタ１２及びシャーシ１１等を目視しながら、アダプタ１２にシャーシ１１を取り付けることができる。それ故、シャーシ１１をアダプタ１２に取り付ける作業の効率を向上させることができる。
（第２の実施の形態）
【００３５】
以下、第２の実施の形態について説明する。図９は本実施の形態に係る照明器具の模式的な斜視図であり、図１０は本実施の形態に係る照明器具の模式的な垂直断面図であり、図１１は本実施の形態に係る照明器具の模式的な分解斜視図であり、図１２は本実施の形態に係るセードの模式的な斜視図であり、図１３は本実施の形態に係るリリースボタンの模式的な斜視図である。
【００３６】
図９〜図１３に示されるように、セード２０の枠体部２０ｃの内側側面には、係合溝２０ｅ（被係合部）が形成されている。セード着脱機構３０は、ケース３６、ケース３６の下面から突出したリリースボタン３７、及びケース３６の両側面から出没可能に設けられた保持部材３８等から構成されている。
【００３７】
ケース３６は、ボルト３９とナット４０とによりシャーシ１１に固定されたベース４１に取り付けられている。ボルト３９の先端部は、シャーシ１１から突出している。リリースボタン３７は、窓部２０ａに挿入可能な板体部３７ａを備えている。保持部材３８の先端部には、係合溝２０ｅに対応した形状の係合突起３８ａ（係合部）が形成されている。具体的には、係合突起３８ａの上面は略水平面状となっており、係合突起３８ａの下面は上方に向けて傾斜している。
【００３８】
セード着脱機構３０は、リリースボタン３７が押されることにより係合突起３８ａがケース３６内に収容され、かつリリースボタン３７が離されることにより係合突起３８ａがケース３６内から突出するように構成されている。
【００３９】
以下、セード２０の着脱について説明する。図１４は本実施の形態に係るセード２０を取り付ける際のセード着脱機構３０の動作状態を模式的に示した図であり、図１５は本実施の形態に係るセード２０を取り外す際のセード着脱機構３０の動作状態を模式的に示した図である。
【００４０】
セード２０を器具本体１０に取り付ける場合には、アダプタ１２にシャーシ１１が係止された状態で、枠体部２０ｃ内に板体部３７ａが挿入されるように枠体部２０ｃと板体部３７ａとの位置を合わせ、図１４に示されるようにセード２０を押し上げる。すると、係合突起３８ａが係合溝２０ｅに入り込み、係合突起３８ａと係合溝２０ｅとが係合される。これにより、セード２０が器具本体１０に取り付けられる。
【００４１】
セード２０を器具本体１０から取り外す場合には、窓部２０ａを介して、リリースボタン３７を押す。すると、図１５に示されるように、係合突起３８ａがケース３６内に収容され、係合突起３８ａと係合溝２０ｅとの係合が解除される。これにより、セード２０が器具本体１０から取り外される。
【００４２】
なお、本発明は上記実施の形態の記載内容に限定されるものではなく、構造や材質、各部材の配置等は、本発明の要旨を逸脱しない範囲で適宜変更可能である。上記第１の実施の形態では係合爪２０ｄと係合爪３２ａとを係合させることによりセード２０とセード着脱機構３０とを係止しており、第２の実施の形態では係合溝２０ｅと係合突起３８ａとを係合させることによりセード２０とセード着脱機構３０とを係止しているが、係合させることによりセード２０とセード着脱機構３０とを係止することができる機構であれば、特に限定されない。上記実施の形態では、蛍光ランプ１６を使用しているが、蛍光ランプ１６でなくてもよい。また、角型の蛍光ランプ１６を使用しているが、角型のものでなくてもよい。
【図面の簡単な説明】
【００４３】
【図１】図１は第１の実施の形態に係る照明器具の模式的な斜視図である。
【図２】図２は第１の実施の形態に係る照明器具の模式的な垂直断面図である。
【図３】図３は第１の実施の形態に係る照明器具の模式的な分解斜視図である。
【図４】図４は第１の実施の形態に係るセードの模式的な斜視図である。
【図５】図５は第１の本実施の形態に係るリリースボタンの模式的な斜視図である。
【図６】図６は第１の実施の形態に係る保持部材及びその周辺部の模式的な斜視図である。
【図７】図７は第１の実施の形態に係るセードを取り付ける際のセード着脱機構の動作状態を模式的に示した図である。
【図８】図８は第１の実施の形態に係るセードを取り外す際のセード着脱機構の動作状態を模式的に示した図である。
【図９】図９は第２の実施の形態に係る照明器具の模式的な斜視図である。
【図１０】図１０は第２の実施の形態に係る照明器具の模式的な垂直断面図である。
【図１１】図１１は第２の実施の形態に係る照明器具の模式的な分解斜視図である。
【図１２】図１２は本実施の形態に係るセードの模式的な斜視図である。
【図１３】図１３は第２の実施の形態に係るリリースボタンの模式的な斜視図である。
【図１４】図１４は第２の実施の形態に係るセードを取り付ける際のセード着脱機構の動作状態を模式的に示した図である。
【図１５】図１５は第２の実施の形態に係るセードを取り外す際のセード着脱機構の動作状態を模式的に示した図である。
【符号の説明】
【００４４】
１…照明器具、１０…器具本体、１２…アダプタ、１６…蛍光ランプ、２０…セード、２０ａ…窓部、２０ｄ…係合爪、２０ｅ…係合溝、３０…セード着脱機構、３１…リリースボタン、３２…保持部材、３２ａ…係合爪、３７…リリースボタン、３８…保持部材、３８ａ…係合突起。
【図１】
2005079000.tif 000003
【図２】
2005079000.tif 000004
【図３】
2005079000.tif 000005
【図４】
2005079000.tif 000006
【図５】
2005079000.tif 000007
【図６】
2005079000.tif 000008
【図７】
2005079000.tif 000009
【図８】
2005079000.tif 000010
【図９】
2005079000.tif 000011
【図１０】
2005079000.tif 000012
【図１１】
2005079000.tif 000013
【図１２】
2005079000.tif 000014
【図１３】
2005079000.tif 000015
【図１４】
2005079000.tif 000016
【図１５】
2005079000.tif 000017